(57)【要約】【課題】  受け入れた印刷データの再印刷が可能な画像形成装置に於いて印刷データのセキュリティを確保することである。【解決手段】  分割部１２は、情報処理装置３００から受信する印刷データを所定の単位で、複数の分割データに分割し、不揮発性記憶部１３は、上記複数の分割データの内、一部の分割データを格納し、通信部１１は、一部の分割データを除く他の分割データを所定の外部記憶装置へ送信して格納するとともに所定の外部記憶装置から上記他の分割データを受信し、復元部１４は、上記一部の分割データ、及び、上記所定の外部記憶装置から受信した他の分割データから、印刷データを復元する。【選択図】        図１
2006187918.tif 000002
【特許請求の範囲】
【請求項１】
受信した印刷データの再印刷が可能な画像形成装置であって、
上位装置から受信する印刷データを所定の単位で、複数の分割データに分割する分割部と、
前記複数の分割データの内、一部の分割データを格納する記憶部と、
前記一部の分割データを除く他の分割データを所定の外部記憶装置へ送信して格納する送信部と、
前記所定の外部記憶装置から前記他の分割データを受信する受信部と、
前記一部の分割データ、及び、前記所定の外部記憶装置から受信した前記他の分割データから、前記印刷データを復元する復元部とを備えることを特徴とする画像形成装置。
【請求項２】
前記複数の分割データの前記受信した印刷データに於ける分割順番と、分割データ各々の送信先外部記憶装置とを管理する分割データ管理部を更に備え、
前記復元部は、前記分割データ管理部の管理に基づいて前記印刷データを復元することを特徴とする請求項１に記載の画像形成装置。
【請求項３】
受信した印刷データの再印刷が可能な画像形成装置であって、
上位装置から受信する印刷データを所定の単位で、複数の分割データに分割する分割部と、
前記複数の分割データを所定の規則に従って組合せ、複数の組合せデータを生成する組合せ部と、
前記複数の組合せデータの内、一部の組合せデータを格納する記憶部と、
前記一部の組合せデータを除く他の組合せデータを所定の外部記憶装置へ送信して格納する送信部と、
前記所定の外部記憶装置から前記他の組合せデータを受信する受信部と、
前記一部の組合せデータ、及び、前記所定の外部記憶装置から受信した前記他の組合せデータから、前記印刷データを復元する復元部とを備えることを特徴とする画像形成装置。
【請求項４】
前記所定の規則と、前記他の組合せデータを格納する前記所定の外部記憶装置とを管理する組合せ順序管理部を更に備え、
前記復元部は、前記組合せ順序管理部の管理に基づいて前記印刷データを復元することを特徴とする請求項３に記載の画像形成装置。
【発明の詳細な説明】
【技術分野】
【０００１】
本発明は、画像形成装置に関し、特に一度印刷した印刷データを格納し、再利用する画像形成装置に於ける印刷データのセキュリティーに関するものである。
【背景技術】
【０００２】
画像形成装置を実際に使用する上で、同一のデータを再度印刷したいという要求がしばしば発生する。例えば、印刷位置ずれ補正のための再送信／印刷要求や、任意ページの印刷データを縮小コピーするための再送信／印刷要求の場合等である。かかる要求が有った場合に、再びアプリケーションから印刷データを作り直さなくても済むように、受信した印刷データを記憶装置に格納しておき、同じ印刷データの再印刷要求が有ったときに、記憶装置から該当する印刷データを読み出して印刷出力する画像形成装置が知られている（特許文献１参照）。
【０００３】
かかる画像形成装置を用いることによって、上記印刷位置ずれ補正や任意ページの印刷データを縮小コピーする場合等には、アプリケーションから印刷データを作り直す煩わしさから開放され、更に、処理時間を短縮することが出来る。しかしながら、上記の場合に用いられる印刷データの全ては、１台の画像形成装置の記憶装置にまとめて格納されているため、悪意の第三者によって容易に復元可能であり、印刷データのセキュリティー確保が困難であった。
【特許文献１】特開平６−５５７８３号公報
【発明の開示】
【発明が解決しようとする課題】
【０００４】
解決しようとする問題点は、再印刷に用いられる印刷データの全てが、１台の画像形成装置の記憶装置にまとめて格納されているため、悪意の第三者によって容易に復元されてしまう点である。
【課題を解決するための手段】
【０００５】
本発明では、上位装置から受信する印刷データを所定の単位で、複数の分割データに分割し、複数の分割データの内、一部の分割データを装置内部に備える記憶部に格納し、該一部の分割データを除く他の分割データを所定の外部記憶装置へ送信して格納し、再印刷時には、上記所定の外部記憶装置から、該外部記憶装置が格納する上記他の分割データを受信し、装置内部の記憶部に格納する上記一部の分割データと合成して印刷データを復元することを最も主要な特徴とする。
【発明の効果】
【０００６】
上位装置から受信する印刷データを所定の単位で、複数の分割データに分割し、該複数の分割データを外部記憶装置に格納するので、印刷データが一カ所に全部格納されることがなくなり、悪意の第三者によって復元される危険性が低下する。その結果、印刷データのセキュリティー確保が容易になるという効果を得る。
【発明を実施するための最良の形態】
【０００７】
本発明によるが画像形成装置では、本発明によって新たに構成される分割部と復元部とを従来の画像処理装置に於ける画像処理プログラムを変更することのみによって実現した。
【実施例１】
【０００８】
本実施例では、上位装置から受信した印刷データを一例として２つの分割データに分割し、印刷データの一部である１つの分割データを装置内部に記憶し、他の分割データを外部記憶装置に格納することとする。
図１は、実施例１の画像形成装置を含むシステム構成図である。
図に示すように実施例１の画像形成装置１００は、通信部１１と、分割部１２と、不揮発性記憶部１３と、復元部１４と、揮発性記憶部１５と、入出力部１６と、照合部１７と、印刷部１８とを備える。以下に、情報処理装置から印刷データを受け入れて印刷する通常の機能説明を省略し、本発明が対象としている再印刷の機能を主にして説明する。
【０００９】
通信部１１は、通信路４０を介して、外部記憶装置２００、及び、情報処理装置３００と接続し、印刷データの送受信を行う部分である。即ち、情報処理装置３００から印刷データを受信すると、該印刷データを分割部１２へ送出し、分割部１２が印刷データを第一の分割データ、及び第二の分割データに分割すると、分割部１２から第二の分割データを受け入れて、通信路４０を介して外部記憶装置２００へ送信する部分である。又、照合部１７から特定照合通知を受け入れると、分割データ取得要求通知を外部記憶装置２００へ通信路４０を介して送信し、該当する分割データを取得し、該分割データを復元部１４へ送出する部分でもある。
【００１０】
分割部１２は、通信部１１から印刷データを受け入れて第一の分割データ、及び第二の分割データに分割し、第一の分割データを不揮発性記憶部１３へ格納し、第二の分割データを、通信路４０を介して外部記憶装置２００へ送信するために通信部１１へ送出する部分である。ここで印刷データを第一の分割データ、及び第二の分割データに分割する分割方法の一例について説明する。
【００１１】
図２は、実施例１に於ける印刷データ分割方法の説明図である。
図中（ａ）は、通信路４０（図１）を介して情報処理装置３００から受け入れた印刷データの形態を表し、（ｂ）は、第一の分割データと、第二の分割データとに分割する過程を表している。
（ａ）に示すように受け入れた印刷データは、１例として１バイト単位のデータが７列、そして各列は１行から第Ｎ行まで連続しているものとする。かかる場合に分割部１２（図１）は、（ｂ）に示すように、印刷データの１行１列の１バイトを第一の分割データの１行１列に振り分け、印刷データの１行２列の１バイトを第二の分割データの１行１列に振り分ける。印刷データの１行３列の１バイトを第一の分割データの１行２列に振り分け、印刷データの１行４列の１バイトを第二の分割データの１行２列に振り分ける。印刷データの１行５列の１バイトを第一の分割データの１行３列に振り分け、印刷データの１行６列の１バイトを第二の分割データの１行３列に振り分ける。印刷データの１行７列の１バイトを第一の分割データの２行１列に振り分け、印刷データの２行１列の１バイトを第二の分割データの２行１列に振り分ける。以下同様にして、印刷データを１バイト単位で第一の分割データと第二の分割データとに分割（振り分け）する。
【００１２】
図１に戻って、不揮発性記憶部１３は、その内部にＲＯＭ（例えばハードディスク内の所定の領域）を有し、分割部１２から第一の分割データを受け入れて格納し、照合部１７から特定照合通知を受け入れると、格納してある第一の分割データを読み出して復元部１４へ送出する部分である。更に、再送信要求を許可すべき操作者の照合情報（例えばパスワード等）を予め登録しておく部分でもある。
【００１３】
復元部１４は、不揮発性記憶部１３から第一の分割データを、通信部１１から第二の分割データを、それぞれ受け入れて印刷データを復元する部分である。ここで印刷データを第一の分割データ、及び第二の分割データから復元する復元方法の一例について説明する。
【００１４】
図３は、実施例１に於ける印刷データ復元方法の説明図である。
図中（ａ）は、第一の分割データと、第二の分割データとの形態を表し、（ｂ）は、印刷データ復元の過程を表している。
（ａ）に示す、第一の分割データ及び第二の分割データは、図２で説明したように、１バイト単位のデータが３列、そして各列は１行から第Ｎ行まで連続している。かかる場合に復元部１４は、（ｂ）に示すように、第一の分割データの１行１列の１バイトを印刷データの１行１列に復元し、第二の分割データの１行１列の１バイトを印刷データの１行２列に復元する。第一の分割データの１行２列の１バイトを印刷データの１行３列に復元し、第二の分割データの１行２列の１バイトを印刷データの１行４列に復元する。第一の分割データの１行３列の１バイトを印刷データの１行５列に復元し、第二の分割データの１行３列の１バイトを印刷データの１行６列に復元する。第一の分割データの２行１列の１バイトを印刷データの１行７列に復元し、第二の分割データの２行１列の１バイトを印刷データの２行１列に復元する。以下同様にして、第一の分割データと第二の分割データとから印刷データを復元する。
【００１５】
揮発性記憶部１５は、復元部１４によって復元された印刷データを保持するＲＡＭ（ランダムアクセスメモリ）である。
入出力部１６は、操作者が再印刷を求める印刷データを特定するための印刷データ特定情報や、再印刷を求める操作者が、再印刷を許可されている本人で有るか否かの照合情報（例えばパスワートなど）を入力する部分である。又、再印刷を求める操作者に対して照合部１７による認証失敗の結果を通知する部分でもある。
【００１６】
照合部１７は、入出力部１６から受け入れた操作者の照合情報と、不揮発性記憶部１３に予め登録されている照合情報とを照合し、印刷データの再印刷の可否を判断する部分である。更に、再印刷可の場合には、入出力部１６から受け入れた印刷データ特定情報（操作者が要求する再印刷データの番号）を含めた特定照合通知を通信部１１、及び不揮発性記憶部１３へ送出する部分である。又、再印刷を求める操作者の認証が出来なかった場合には、入出力部１６へ認証失敗通知を送出して操作者に通知する部分でもある。
印刷部１８は、揮発性記憶部１５から復元部１４によって復元された印刷データを受け入れて印刷出力する部分である。
【００１７】
以上説明した画像形成装置１００は、実際の使用状態では、図に示すように、通信路４０を介して外部記憶装置２００と、情報処理装置３００とに接続される。
外部記憶装置２００は、上記画像形成装置１００から第二の分割データを受け入れて格納する装置であり、その内部に少なくとも、通信部５１と、不揮発性記憶部５２と、照合部５３とを備える。尚、この外部記憶装置２００は、上記画像形成装置１００と全く同一構成部分を有する画像形成装置であっても良い。以下に、本実施例の説明に必要な部分の機能のみについて説明する。
【００１８】
通信部５１は、通信路４０を介して、画像形成装置１００、及び、情報処理装置３００と接続し、印刷データの送受信を行う部分である。即ち、画像形成装置１００から第二の分割データを受信すると、該第二の分割データを不揮発性記憶部５２へ格納し、画像形成装置１００から分割データ取得要求通知を受け入れると、分割データ取得要求通知に含まれている印刷データ特定情報に基づいて、不揮発性記憶部５２から所定の分割データを受け入れて通信路４０を介して画像形成装置１００へ送信する部分である。
【００１９】
不揮発性記憶部５２は、その内部にＲＯＭ（例えばハードディスク内の所定の領域）を有し、通信部５１から第二の分割データを受け入れて格納し、照合部５３から照合確認通知を受け入れると、格納してある第二の分割データを読み出して通信部５１へ送出する部分である。更に、再送信要求を許可すべき操作者の照合情報（例えばパスワード等）を予め登録しておく部分でもある。
【００２０】
照合部５３は、通信部５１から受け入れた分割データ取得要求通知に含まれている照合通知と、不揮発性記憶部５２に予め登録されている照合情報とに基づいて再印刷要求者の認証結果を確認し、照合確認通知を不揮発性記憶部５２へ送出する部分である。
【００２１】
情報処理装置３００は、印刷データを生成し画像形成装置１００へ送出し印刷要求する装置であり、その内部に少なくとも、印刷設定部３１と、印刷要求部３２と、通信部３３とを備える。通常パーソナルコンピュータが用いられる。以下に、本実施例の説明に必要な部分の機能のみについて説明する。
【００２２】
印刷設定部３１は、所定のアプリケーションに基づいて、印刷データを作成する部分である。又、分割データを格納すべき分割データ保存先を予め設定する部分である。更に、印刷データの番号、ユーザ名、パスワード、分割データ保存先等の印刷設定情報を印刷データに付加する部分でもある。ここで印刷設定画面の一例について説明する。
【００２３】
図４は、実施例１の印刷設定画面の一例である。
（ａ）は、印刷形式設定場面であり、例えば、通常印刷、確認印刷、認証印刷、画像形成装置に保存、の４形式が表示され、操作者が、画像形成装置に保存、を選択すると（ｂ）が表示される。操作者は、この表示に基づいて、ジョブ名、ユーザ名、パスワード、保存場所、等の印刷設定情報を入力することになる。
印刷要求部３２は、作成した印刷データの印刷要求をする部分である。
通信部３３は、通信路４０を介して画像形成装置１００へ印刷データを送信する部分である。
【００２４】
本実施例の動作についてフローチャートを用いて説明する。
図５は、実施例１の分割データ保存先設定のフローチャートである。
このフローチャートは、情報処理装置３００（図１）から、画像形成装置１００（図１）が第二の分割データを格納すべき外部記憶装置（ここでは外部記憶装置２００（図１））を予め設定する動作を示している。
【００２５】
ステップＳ１−０
操作者は、情報処理装置３００（図１）から画像形成装置１００（図１）が第二の分割データを格納すべき外部記憶装置２００（図１）を設定する。操作者が、印刷設定部３１（図１）から設定要求を入力することによって、情報処理装置３００の通信部３３（図１）から画像形成装置１００の通信部１１（図１）、及び外部記憶装置２００の通信部５１（図１）へ設定要求が送信され、図１のシステムが構成される。このとき画像形成装置１００（図１）から、予め画像形成装置１００（図１）の不揮発性記憶部１３（図１）に、既に登録されている再送信要求を許可すべき操作者の照合情報（例えばパスワード等）を外部記憶装置２００の不揮発性記憶部５２（図１）に格納しても良い。
【００２６】
図６は、実施例１の再印刷動作のフローチャート（その１）である。
図７は、実施例２の再印刷動作のフローチャート（その２）である。
このフローチャートは、情報処理装置３００（図１）から画像形成装置１００（図１）に印刷データが送信され、画像形成装置１００（図１）が、その印刷データを分割し、第二の分割データを外部記憶装置２００（図１）に格納するまでの動作（図６）と、画像形成装置１００（図１）が再印刷要求に基づいて外部記憶装置２００（図１）から第二の分割データを取得して印刷出力する動作（図７）を表している。ステップＳ１−１からステップＳ１−２３までステップ順に説明する。
【００２７】
ステップＳ１−１
操作者は、情報処理装置３００（図１）で所定のアプリケーションに基づいて印刷データを作成する。
ステップＳ１−２
操作者は、情報処理装置３００（図１）に、ユーザ名、パスワード、ジョブ名、分割データの格納先、印刷データの番号等の印刷設定情報を入力する。印刷要求部３２（図１）は、これらの印刷設定情報を印刷データに付加して印刷要求する。
ステップＳ１−３
情報処理装置３００（図１）の通信部３３（図１）は、通信路４０（図１）を介して、印刷設定情報が付加された印刷データを画像形成装置１００（図１）へ送信する。
【００２８】
ステップＳ１−４
画像形成装置１００（図１）の通信部１１（図１）は、印刷設定情報が付加された印刷データを受信する。
ステップＳ１−５
画像形成装置１００（図１）の分割部１２（図１）は、印刷設定情報が付加された印刷データを解析して、印刷データと、第二の印刷データの格納先（ここでは外部記憶装置２００（図１））、ユーザ名、パスワード等の印刷設定情報を取得する。
【００２９】
ステップＳ１−６
画像形成装置１００（図１）の分割部１２（図１）は、印刷データを例えば図２に示すように第一の分割データと第二の分割データとに振り分け（分割）する。
ステップＳ１−７
画像形成装置１００（図１）の分割部１２（図１）は、第一の分割データを、印刷設定情報と共に、不揮発性記憶部１３（図１）へ格納（保存）する。ここで印刷設定情報は、例えばＪｏｂＩＤ、ユーザ名、パスワード、ジョブ名、分割データＩＤ、分割データの格納先、第一の分割データの番号などである。
【００３０】
ステップＳ１−８
画像形成装置１００（図１）の通信部１１（図１）は、通信路４０（図１）を介して第二の分割データに印刷設定情報を付加して、外部記憶装置２００へ送信する。ここで第二の分割データに付加される印刷設定情報は、例えば、ＪｏｂＩＤ、ユーザ名、パスワード、ジョブ名、分割データＩＤ、送信元のＩＰアドレス等である。
ステップＳ１−９
外部記憶装置２００（図１）の通信部５１（図１）は、印刷設定情報が付加された第二の分割データを受信する。
【００３１】
ステップＳ１−１０
外部記憶装置２００（図１）の解析手段（図示しない）は、印刷設定情報が付加された第二の分割データを解析し、ＪｏｂＩＤ、ユーザ名、パスワード、ジョブ名、分割データＩＤ、送信元のＩＰアドレス等の印刷設定情報を取得する。
ステップＳ１−１１
外部記憶装置２００（図１）の通信部５１（図１）は、第二の分割データをＪｏｂＩＤ、ユーザ名、パスワード、ジョブ名、分割データＩＤ、送信元のＩＰアドレス等の印刷設定情報と共に外部記憶装置２００（図１）の不揮発性記憶部５２（図１）へ格納して再印刷の要求発生を待つ。
【００３２】
ステップＳ１−１２
操作者が、印刷データ特定情報、及び照合情報を入出力部１６（図１）へ入力して再印刷要求すると、画像形成装置１００（図１）の照合部１７は、入出力部１６（図１）から印刷データ特定情報、及び照合情報を受け入れる。
ステップＳ１−１３
画像形成装置１００（図１）の照合部１７（図１）は、不揮発性記憶部１３に格納されている印刷設定情報のユーザ名、パスワードと照合し、ユーザ認証出来た場合にはステップＳ１−１５へ進み、ユーザ認証出来なかった場合にはステップＳ１−１４へ進む。
【００３３】
ステップＳ１−１４
画像形成装置１００（図１）の照合部１７（図１）は、ユーザ認証出来なかったことを入出力部１６（図１）を介して操作者に通知してフローを終了する。
ステップＳ１−１５
画像形成装置１００（図１）の照合部１７（図１）は、特定照合通知に印刷データ特定情報を含めて不揮発性記憶部１３（図１）と通信部１１（図１）へ送出する。
【００３４】
ステップＳ１−１６
画像形成装置１００（図１）の通信部１１は、通信路４０（図１）を介して外部記憶装置２００（図１）へ分割データ取得要求通知を送信する。
ステップＳ１−１７
外部記憶装置２００（図１）の通信部５１（図１）は、分割データ取得要求通知を受信する。
【００３５】
ステップＳ１−１８
外部記憶装置２００（図１）の照合部５３（図１）は、通信部５１（図１）から受け入れた分割データ取得要求通知に含まれている照合通知と、不揮発性記憶部５２（図１）に予め登録されている照合情報とに基づいて再印刷要求者の認証結果を確認し照合確認通知を不揮発性記憶部５２（図１）へ送出する。
ステップＳ１−１９
外部記憶装置２００（図１）の不揮発性記憶部５２（図１）は該当する第二の分割データを読み出して通信部５１（図１）へ送出する。
【００３６】
ステップＳ１−２０
外部記憶装置２００（図１）の通信部５１（図１）は、通信路４０（図１）を介して第二の分割データを画像形成装置１００（図１）へ送信する。
ステップＳ１−２１
画像形成装置１００（図１）の通信部１１は、第二の分割データを受信して復元部１４（図１）へ送出する。
【００３７】
ステップＳ１−２２
画像形成装置１００（図１）の復元部１４（図１）は、不揮発性記憶部１３から第一の分割データを、通信部１１から第二の分割データを、それぞれ取得して印刷データを例えば図３に示すように復元して揮発性記憶部１５（図１）に格納する。
ステップＳ１−２３
画像形成装置１００（図１）の印刷部１８（図１）は、復元した印刷データを揮発性記憶部１５（図１）から取得し、印刷出力してフローを終了する。
【００３８】
以上説明したように、情報処理装置３００（図１）から受信する印刷データを１バイト毎に、２つの分割データに分割し、一方の分割データを外部記憶装置２００（図１）に格納するので、印刷データが一カ所に全部格納されることがなくなり、悪意の第三者によって復元される危険性が低下する。その結果、印刷データのセキュリティー確保が容易になるという効果を得る。
【実施例２】
【００３９】
上記実施例１では、上位装置から受信した印刷情報を２つの分割データに分割し、１つの分割データを装置内部に記憶し、他の分割データを外部記憶装置に格納することとしたが、本実施例では、上位装置から受信した印刷情報を３つ以上の分割データに分割し、１つの分割データを装置内部に記憶し、他の複数の分割データを複数の外部記憶装置に１つずつ格納することとする。
【００４０】
図８は、実施例２の画像形成装置を含むシステム構成図である。
図に示すように実施例２の画像形成装置４００は、通信部１１と、不揮発性記憶部１３と、揮発性記憶部１５と、入出力部１６と、照合部１７と、印刷部１８と、分割順序管理部１９と、分割部２１と、復元部２２とを備える。以下に、実施例１と相違する部分のみについて説明する。実施例１と同一の部分には実施例１と同一の符合を付して説明を省略する。但し、ここでは、複数の外部記憶装置の数量を２台に限定して説明する。
【００４１】
分割順序管理部１９は、第二の分割データ、及び第三の分割データの分割順番と格納先とを管理する部分である。
分割部２１は、通信部１１から印刷データを受け入れて第一の分割データ、第二の分割データ、及び第三の分割データに分割し、分割順序管理部１９の管理に基づいて第一の分割データを不揮発性記憶部１３へ格納し、第二の分割データ及び第三の分割データを、通信部１１へ送出し、通信路４０を介して外部記憶装置２００−１又は外部記憶装置２００−２へ送信させる部分である。ここで印刷データを第一の分割データ、第二の分割データ、及び第三の分割データに分割する分割方法は、実施例１と同様の方法によって、印刷データを１バイト単位で第一の分割データ、第二の分割データ、及び第三の分割データとに分割（振り分け）する。
【００４２】
復元部２２は、分割順序管理部１９の管理に基づいて第一の分割データ、第二の分割データ、及び第三の分割データから印刷データを復元する部分である。印刷データの復元方法は、実施例１と同様の方法によって、第一の分割データ、第二の分割データ、及び第三の分割データとから印刷データを復元する。
【００４３】
以上説明した画像形成装置４００は、実際の使用状態では、図に示すように、通信路４０を介して外部記憶装置２００−１、外部記憶装置２００−１、及び情報処理装置３００とに接続される。ここで情報処理装置３００の印刷設定部３１に於ける印刷設定画面の一例について説明する。
図９は実施例２の印刷設定画面の一例である。
実施例１との相違点は、保存場所（図４）が、分割設定として複数箇所（ＩＰアドレス）設定されていることのみである。
外部記憶装置２００−１と外部記憶装置２００−２とは、実施例１の外部記憶装置２００と全く同様なので説明を省略する。
【００４４】
本実施例の動作についてフローチャートを用いて説明する。
図１０は、実施例２の分割データ保存先設定のフローチャートである。
このフローチャートは、情報処理装置３００（図８）から、画像形成装置４００（図８）が第二の分割データと第三の分割データとを格納すべき外部記憶装置を予め設定する動作を示している。
【００４５】
ステップＳ２−０
操作者は、情報処理装置３００（図８）から画像形成装置４００（図８）が、第二の分割データの保存先として外部記憶装置２００−１（図８）を設定し、第三の分割データの保存先として外部記憶装置２００−２（図８）を設定する。操作者が、印刷設定部３１（図１）から設定要求を入力することによって、情報処理装置３００の通信部３３（図８）から画像形成装置４００の通信部１１（図８）、外部記憶装置２００−１の通信部５１（図８）、及び外部記憶装置２００−２の通信部５１（図８）へ設定要求が送信され、図８のシステムが構成される。このとき画像形成装置４００（図８）から、予め画像形成装置４００（図８）の不揮発性記憶部１３（図８）に、既に登録されている再送信要求を許可すべき操作者の照合情報（例えばパスワード等）を外部記憶装置２００−１の不揮発性記憶部５２（図８）、及び外部記憶装置２００−２の不揮発性記憶部５２（図８）に格納しても良い。
【００４６】
図１１は、実施例２の再印刷動作のフローチャート（その１）である。
図１２は、実施例２の再印刷動作のフローチャート（その２）である。
このフローチャートは、情報処理装置３００（図８）から画像形成装置４００（図８）に印刷データが送信され、画像形成装置４００（図８）が、その印刷データを分割し、第二の分割データを外部記憶装置２００−１（図８）に格納し、第三の分割データを外部記憶装置２００−２（図８）に格納するまでの動作（図１１）と、画像形成装置４００（図８）が再印刷要求に基づいて、外部記憶装置２００−１（図８）から第二の分割データを、外部記憶装置２００−２（図８）から第三の分割データを、それぞれ取得して印刷出力する動作（図１２）を表している。ステップＳ２−１からステップＳ２−３３までステップ順に説明する。
【００４７】
ステップＳ２−１
操作者は、情報処理装置３００（図８）で所定のアプリケーションに基づいて印刷データを作成する。
ステップＳ２−２
操作者は、情報処理装置３００（図８）に、印刷データの番号、第二の分割データの格納先（ここでは外部記憶装置２００−１（図８））、第三の分割データの格納先（ここでは外部記憶装置２００−２（図８））、ユーザ名、パスワード等の印刷設定情報を入力する。印刷要求部３２（図８）は、これらの印刷設定情報を印刷データに付加して印刷要求する。
ステップＳ２−３
情報処理装置３００（図８）の通信部３３（図８）は、通信路４０（図８）を介して、印刷設定情報が付加された印刷データを画像形成装置４００（図８）へ送信する。
【００４８】
ステップＳ２−４
画像形成装置４００（図８）の通信部１１（図１）は、印刷設定情報が付加された印刷データを受信する。
ステップＳ２−５
画像形成装置４００（図８）の分割部１２（図１）は、印刷設定情報が付加された印刷データを解析して、印刷データと、第二の印刷データの格納先（ここでは外部記憶装置２００−１（図８））、第三の印刷データの格納先（ここでは外部記憶装置２００−２（図８））ユーザ名、パスワード等の印刷設定情報を取得する。
【００４９】
ステップＳ２−６
画像形成装置４００（図８）の分割部１２（図８）は、印刷データを実施例１と同様の方法によって第一の分割データ、第二の分割データ、及び第三の分割データとに振り分け（分割）する。
ステップＳ２−７
画像形成装置４００（図８）の分割部１２（図８）は、第一の分割データを、印刷設定情報と共に、不揮発性記憶部１３（図８）へ格納（保存）する。
【００５０】
ステップＳ２−８
画像形成装置４００（図８）の通信部１１（図８）は、第二の分割データに印刷設定情報を付加し、通信路４０（図８）を介して、外部記憶装置２００−１へ送信する。
ステップＳ２−９
外部記憶装置２００−１（図８）の通信部５１（図８）は、印刷設定情報が付加された第二の分割データを受信する。
【００５１】
ステップＳ２−１０
外部記憶装置２００−１（図８）の解析手段（図示しない）は、印刷設定情報が付加された第二の分割データを解析し、印刷データの番号、ユーザ名、パスワード等の印刷設定情報を取得する。
ステップＳ２−１１
外部記憶装置２００−１（図８）の通信部５１（図８）は、第二の分割データを印刷データの番号、ユーザ名、パスワード等の印刷設定情報と共に外部記憶装置２００−１（図８）の不揮発性記憶部５２（図８）へ格納して再印刷の要求発生を待つ。
【００５２】
ステップＳ２−１２
画像形成装置４００（図８）の通信部１１（図８）は、第三の分割データに印刷設定情報を付加して、通信路４０（図８）を介して外部記憶装置２００−２へ送信する。
ステップＳ２−１３
外部記憶装置２００−２（図８）の通信部５１（図８）は、印刷設定情報が付加された第三の分割データを受信する。
【００５３】
ステップＳ２−１４
外部記憶装置２００−２（図８）の解析手段（図示しない）は、印刷設定情報が付加された第三の分割データを解析し、印刷データの番号、ユーザ名、パスワード等の印刷設定情報を取得する。
ステップＳ２−１５
外部記憶装置２００−２（図８）の通信部５１（図８）は、第三の分割データを印刷データの番号、ユーザ名、パスワード等の印刷設定情報と共に外部記憶装置２００−１（図８）の不揮発性記憶部５２（図８）へ格納して再印刷の要求発生を待つ。
【００５４】
ステップＳ２−１６
操作者が、印刷データ特定情報、及び照合情報を入出力部１６（図８）へ入力して再印刷要求すると、画像形成装置４００（図８）の照合部１７は、入出力部１６（図８）から印刷データ特定情報、及び照合情報を受け入れる。
ステップＳ２−１７
画像形成装置４００（図８）の照合部１７（図８）は、不揮発性記憶部１３に格納されている印刷設定情報のユーザ名、パスワードと照合し、ユーザ認証出来た場合にはステップＳ２−１９へ進み、ユーザ認証出来なかった場合にはステップＳ２−１８へ進む。
【００５５】
ステップＳ２−１８
画像形成装置４００（図８）の照合部１７（図８）は、ユーザ認証出来なかったことを入出力部１６（図８）を介して操作者に通知してフローを終了する。
ステップＳ２−１９
画像形成装置４００（図８）の照合部１７（図８）は、特定照合通知に印刷データ特定情報を含めて不揮発性記憶部１３（図８）と通信部１１（図８）へ送出する。
【００５６】
ステップＳ２−２０
画像形成装置４００（図８）の通信部１１は、通信路４０（図８）を介して外部記憶装置２００−１（図８）へ分割データ取得要求通知を送信する。
ステップＳ２−２１
外部記憶装置２００−１（図８）の通信部５１（図８）は、分割データ取得要求通知を受信する。
【００５７】
ステップＳ２−２２
外部記憶装置２００−１（図８）の照合部５３（図８）は、通信部５１（図８）から受け入れた分割データ取得要求通知に含まれている照合通知と、不揮発性記憶部５２（図８）に予め登録されている照合情報とに基づいて再印刷要求者の認証結果を確認し照合確認通知を不揮発性記憶部５２（図８）へ送出する。
ステップＳ２−２３
外部記憶装置２００−１（図８）の不揮発性記憶部５２（図８）は該当する第二の分割データを読み出して通信部５１（図８）へ送出する。
【００５８】
ステップＳ２−２４
外部記憶装置２００−１（図８）通信部５１（図８）は、通信路４０（図８）を介して第二の分割データを画像形成装置４００（図８）へ送信する。
ステップＳ２−２５
画像形成装置４００（図８）の通信部１１は、第二の分割データを受信して復元部２２（図８）へ送出する。
【００５９】
ステップＳ２−２６
画像形成装置４００（図８）の通信部１１は、通信路４０（図８）を介して外部記憶装置２００−２（図８）へ分割データ取得要求通知を送信する。
ステップＳ２−２７
外部記憶装置２００−２（図８）の通信部５１（図８）は、分割データ取得要求通知を受信する。
【００６０】
ステップＳ２−２８
外部記憶装置２００−２（図８）の照合部５３（図８）は、通信部５１（図８）から受け入れた分割データ取得要求通知に含まれている照合通知と、不揮発性記憶部５２（図８）に予め登録されている照合情報とに基づいて再印刷要求者の認証結果を確認し照合確認通知を不揮発性記憶部５２（図８）へ送出する。
ステップＳ２−２９
外部記憶装置２００−２（図８）の不揮発性記憶部５２（図８）は該当する第三の分割データを読み出して通信部５１（図８）へ送出する。
【００６１】
ステップＳ２−３０
外部記憶装置２００−２（図８）の通信部５１（図８）は、通信路４０（図８）を介して第三の分割データを画像形成装置４００（図１）へ送信する。
ステップＳ２−３１
画像形成装置４００（図８）の通信部１１は、第３の分割データを受信して復元部２２（図８）へ送出する。
【００６２】
ステップＳ２−３２
画像形成装置４００（図８）の復元部２２（図８）は、不揮発性記憶部１３から第一の分割データを、通信部１１から第二の分割データ、及び第三の分割データを、それぞれ取得して分割順序管理部１９の管理に基づいて印刷データを復元して揮発性記憶部１５（図８）に格納する。
ステップＳ２−３３
印刷部１８（図８）は、復元した印刷データを揮発性記憶部１５（図８）から取得し、印刷出力してフローを終了する。
【００６３】
以上説明したように、情報処理装置３００（図１）から受信する印刷データを１バイト毎に、３つの分割データに分割し、２つの分割データを外部記憶装置２００−１（図８）、及び外部記憶装置２００−２（図８）に格納するので、実施例１よりも更に悪意の第三者によって復元される危険性が低下する。その結果、印刷データのセキュリティー確保が容易になるという効果を得る。
【実施例３】
【００６４】
上記実施例２では、上位装置から受信した印刷情報を３つ以上の分割データに分割し、１つの分割データを装置内部に記憶し、他の複数の分割データを複数の外部記憶装置に１つずつ格納することとしたが、本実施例では、更に、分割データを例えば２個ずつ組み合わせて組合せデータを構成し、この組合せデータを複数の外部記憶装置に１個ずつ格納することとする。
【００６５】
図１３は、実施例３の画像形成装置を含むシステム構成図である。
図に示すように実施例３の画像形成装置５００は、通信部１１と、不揮発性記憶部１３と、揮発性記憶部１５と、入出力部１６と、照合部１７と、印刷部１８と、分割部２３と、組合せ部２４と、組合せ順序管理部２５と、復元部２６とを備える。以下に、実施例２と相違する部分のみについて説明する。実施例２と同一の部分には実施例２と同一の符合を付して説明を省略する。但し、ここでは一例として印刷データを５個に分割し、該分割データを分割順に２個ずつ組み合わせて５個の組合せデータを構成し、外部記憶装置に１個ずつ格納することとする。
【００６６】
分割部２３は、通信部１１から印刷データを受け入れて第一の分割データ、第二の分割データ、第三の分割データ、第四の分割データ、及び第五の分割データに分割し、組合せ部２４へ送出する部分である。分割方法は、実施例１と同様の方法によって、印刷データを１バイト単位で第一の分割データ、第二の分割データ、第三の分割データ、第四の分割データ、及び第五の分割データとに分割（振り分け）する。
【００６７】
組合せ部２４は、分割部２３から第一の分割データ、第二の分割データ、第三の分割データ、第四の分割データ、及び第五の分割データを受け入れて、第一の分割データと第二の分割データとを組み合わせて組合せデータ１を構成し、第二の分割データと第三の分割データとを組み合わせて組合せデータ２を構成し、第三の分割データと第四の分割データとを組み合わせて組合せデータ３を構成し、第四の分割データと第五の分割データとを組み合わせて組合せデータ４を構成し、第五の分割データと第一の分割データとを組み合わせて組合せデータ５を構成し、組合せデータ１を不揮発性記憶部１３に格納し、通信部１１を介して、組合せデータ２を外部記憶装置２００−１へ、組合せデータ３を外部記憶装置２００−２へ、組合せデータ４を外部記憶装置２００−３へ、組合せデータ５を外部記憶装置２００−４へ、それぞれ送信する部分である。
【００６８】
組合せ順序管理部２５は、分割データの組合せと、それぞれの組合せデータの格納先とを管理する部分である。
復元部２６は、組合せ順序管理部２５の管理に基づいて、組合せデータ１、組合せデータ２、組合せデータ３、組合せデータ４、及び組合せデータ５から印刷データを復元する部分である。印刷データの復元方法は、実施例１と同様の方法によって復元する。
【００６９】
以上説明した画像形成装置５００は、実際の使用状態では、図に示すように、通信路４０を介して外部記憶装置２００−１、外部記憶装置２００−１、外部記憶装置２００−３、外部記憶装置２００−４、及び情報処理装置３００とに接続される。ここで情報処理装置３００の印刷設定部３１に於ける印刷設定画面の一例について説明する。
図１４は実施例４の印刷設定画面の一例である。
実施例２との相違点は、もしも必要な場合には、予備の保存先（ＩＰアドレス）が設定可能であることのみである。この予備の保存先については特に言及しない。
外部記憶装置２００−１、外部記憶装置２００−２、外部記憶装置２００−３、及び、外部記憶装置２００−４、とは、実施例１の外部記憶装置２００と全く同様なので説明を省略する。
【００７０】
本実施例の動作についてフローチャートを用いて説明する。
図１５は、実施例３の分割データ保存先設定のフローチャートである。
このフローチャートは、情報処理装置３００（図１３）から、画像形成装置５００（図１３）が、組合せデータ２、組合せデータ３、組合せデータ４、及び組合せデータ５を格納すべき外部記憶装置を予め設定する動作を示している。
【００７１】
ステップＳ３−０
操作者は、情報処理装置３００（図１３）から画像形成装置５００（図１３）が、組合せデータ２の保存先として外部記憶装置２００−１（図１３）を設定し、組合せデータ３の保存先として外部記憶装置２００−２（図１３）を設定し、組合せデータ４の保存先として外部記憶装置２００−３（図１３）を設定し、組合せデータ５の保存先として外部記憶装置２００−４（図１３）を設定する。操作者が、印刷設定部３１（図１３）から設定要求を入力することによって、情報処理装置３００の通信部３３（図１３）から画像形成装置５００の通信部１１（図１３）、外部記憶装置２００−１の通信部５１（図１３）、外部記憶装置２００−２の通信部５１（図１３）、外部記憶装置２００−３の通信部５１（図１３）、及び、外部記憶装置２００−４の通信部５１（図１３）へ設定要求が送信され、図１３のシステムが構成される。このとき画像形成装置５００（図１３）から、予め画像形成装置５００（図１３）の不揮発性記憶部１３（図１３）に、既に登録されている再送信要求を許可すべき操作者の照合情報（例えばパスワード等）を外部記憶装置２００−１の不揮発性記憶部５２（図１３）、外部記憶装置２００−２の不揮発性記憶部５２（図１３）、外部記憶装置２００−３の不揮発性記憶部５２（図１３）、外部記憶装置２００−４の不揮発性記憶部５２（図１３）、に格納しても良い。
【００７２】
図１６は、実施例３の再印刷動作のフローチャート（その１）である。
図１７は、実施例３の再印刷動作のフローチャート（その２）である。
このフローチャートは、情報処理装置３００（図１３）から画像形成装置５００（図１３）に印刷データが送信され、画像形成装置５００（図１３）が、その印刷データを５個に分割し、更に組合せデータを５個構成し、それぞれ所定の場所に格納するまでの動作（図１６）と、画像形成装置５００（図１３）が再印刷要求に基づいて、４台の外部記憶装置２００−１〜２００−４（図１３）から、それそれの外部記憶装置が格納している組合せデータを取得し、印刷出力する動作（図１７）を表している。ステップＳ３−１からステップＳ３−２４までステップ順に説明する。
【００７３】
ステップＳ３−１
操作者は、情報処理装置３００（図１３）で所定のアプリケーションに基づいて印刷データを作成する。
ステップＳ３−２
操作者は、情報処理装置３００（図１３）に、印刷データの番号、組合せデータ２、組合せデータ３、及び、組合せデータ４の格納先、ユーザ名、パスワード等の印刷設定情報を入力する。印刷要求部３２（図１３）は、これらの印刷設定情報を印刷データに付加して印刷要求する。
ステップＳ３−３
情報処理装置３００（図１３）の通信部３３（図１３）は、通信路４０（図１３）を介して、印刷設定情報が付加された印刷データを画像形成装置５００（図１３）へ送信する。
【００７４】
ステップＳ３−４
画像形成装置５００（図１３）の通信部１１（図１３）は、印刷設定情報が付加された印刷データを受信する。
ステップＳ３−５
画像形成装置５００（図１３）の分割部２３（図１３）は、印刷設定情報が付加された印刷データを解析して、印刷データと、組合せデータ２、組合せデータ３、及び、組合せデータ４の格納先、ユーザ名、パスワード等の印刷設定情報を取得する。
【００７５】
ステップＳ３−６
画像形成装置５００（図１３）の分割部２３（図１３）は、印刷データを実施例１と同様の方法によって第一の分割データ、第二の分割データ、第三の分割データ、第四の分割データ、及び第五の分割データとに振り分け（分割）する。
ステップＳ３−７
画像形成装置５００（図１３）の組合せ部２４（図１３）は、分割部２３（図１３）から第一の分割データ、第二の分割データ、第三の分割データ、第四の分割データ、及び第五の分割データを受け入れて、第一の分割データと第二の分割データとを組み合わせて組合せデータ１を構成し、第二の分割データと第三の分割データとを組み合わせて組合せデータ２を構成し、第三の分割データと第四の分割データとを組み合わせて組合せデータ３を構成し、第四の分割データと第五の分割データとを組み合わせて組合せデータ４を構成し、第五の分割データと第一の分割データとを組み合わせて組合せデータ５を構成する。更にそれぞれの組合せデータに印刷設定情報を付加する。
【００７６】
ステップＳ３−８
画像形成装置５００（図１３）の組合せ部２４（図１３）は、組合せデータ１を、印刷設定情報と共に、画像形成装置５００（図１３）の不揮発性記憶部１３（図１３）へ格納（保存）する。
ステップＳ３−９
画像形成装置５００（図１３）の通信部１１（図１３）は、組合せ部２４（図１３）から、組合せデータ２〜組合せデータ５を受け入れて、通信路４０（図８）を介して、それぞれ格納先として設定されている各々の外部記憶装置２００−１〜２００−４（図１３）へ送信する。
【００７７】
ステップＳ３−１０
各々の外部記憶装置２００−１〜２００−４（図１３）は、それぞれ自己に送信されてくる、印刷設定情報が付加された個々の組合せデータを受信する。
ステップＳ３−１１
各々の外部記憶装置２００−１〜２００−４（図１３）は、印刷設定情報が付加された個々の組合せデータを解析し、印刷データの番号、ユーザ名、パスワード等の印刷設定情報を個々に取得する。
ステップＳ３−１２
各々の外部記憶装置２００−１〜２００−４（図１３）は、個々に受け入れた組合せデータの番号、ユーザ名、パスワード等の印刷設定情報と共に、自己の不揮発性記憶部５２（図１３）へ格納して再印刷の要求発生を待つ。
【００７８】
ステップＳ３−１３
操作者が、印刷データ特定情報、及び照合情報を入出力部１６（図１３）へ入力して再印刷要求すると、画像形成装置５００（図１３）の照合部１７は、入出力部１６（図１３）から印刷データ特定情報、及び照合情報を受け入れる。
ステップＳ３−１４
画像形成装置５００（図１３）の照合部１７（図１３）は、不揮発性記憶部１３（図１３）に格納されている印刷設定情報のユーザ名、パスワードと照合し、ユーザ認証出来た場合にはステップＳ３−１６へ進み、ユーザ認証出来なかった場合にはステップＳ３−１５へ進む。
【００７９】
ステップＳ３−１５
画像形成装置５００（図１３）の照合部１７（図１３）は、ユーザ認証出来なかったことを入出力部１６（図１３）を介して操作者に通知してフローを終了する。
ステップＳ３−１６
画像形成装置５００（図１３）の照合部１７（図１３）は、特定照合通知に印刷データ特定情報を含めて不揮発性記憶部１３（図１３）と通信部１１（図１３）へ送出する。
【００８０】
ステップＳ３−１７
画像形成装置５００（図１３）の通信部１１（図１３）は、通信路４０（図１３）を介して各々の外部記憶装置２００−１〜２００−４（図１３）へ組合せデータ取得要求通知を送信する。
ステップＳ３−１８
各々の外部記憶装置２００−１〜２００−４（図１３）の通信部５１（図１３）は、組合せデータ取得要求通知を受信する。ここでは外部記憶装置２００−１〜２００−４（図１３）のそれぞれを外部記憶装置２００−ｎとして表している。
【００８１】
ステップＳ３−１９
各々の外部記憶装置２００−１〜２００−４（図１３）の照合部５３（図１３）は、通信部５１（図１３）から受け入れた組合せデータ取得要求通知に含まれている照合通知と、不揮発性記憶部５２（図１３）に予め登録されている照合情報とに基づいて再印刷要求者の認証結果を確認し照合確認通知を不揮発性記憶部５２（図１３）へ送出する。
ステップＳ３−２０
各々の外部記憶装置２００−１〜２００−４（図１３）の不揮発性記憶部５２（図１３）は該当する組合せデータを読み出して通信部５１（図１３）へ送出する。
【００８２】
ステップＳ３−２１
各々の外部記憶装置２００−１〜２００−４（図１３）の通信部５１（図１３）は、通信路４０（図１３）を介して該当する組合せデータを画像形成装置５００（図１３）へ送信する。
ステップＳ３−２２
画像形成装置５００（図１３）の通信部１１（図１３）は、各々の外部記憶装置２００−１〜２００−４（図１３）から受信した組合せデータ１〜組合せデータ５を復元部２６（図１３）へ送出する。
【００８３】
ステップＳ３−２３
画像形成装置５００（図１３）の復元部２６（図１３）は、不揮発性記憶部１３（図１３）から組合せデータ１を、各々の外部記憶装置２００−１〜２００−４（図１３）から組合せデータ２〜５を、それぞれ取得して組合せ順序管理部２５（図１３）の管理に基づいて印刷データを復元して揮発性記憶部１５（図１３）に格納する。
ステップＳ３−２４
印刷部１８（図１３）は、復元した印刷データを揮発性記憶部１５（図１３）から取得し、印刷出力してフローを終了する。
【００８４】
以上説明したように、情報処理装置３００（図１３）から受信する印刷データを印刷情報を５つの分割データに分割し、更に、分割データを２個ずつ組み合わせて組合せデータを構成し、この組合せデータを４台の外部記憶装置に１個ずつ格納することとしたので、実施例２よりも更に、悪意の第三者によって復元される危険性が低下する。その結果、印刷データのセキュリティー確保が容易になるという効果を得る。
【産業上の利用可能性】
【００８５】
以上の説明では、本発明をプリンタ等の印刷装置に適合させた場合について説明したが、本発明はこの例に限定されるものではない。即ち、ファクシミリ装置や、複写機などにも適合可能である。
【図面の簡単な説明】
【００８６】
【図１】実施例１の画像形成装置を含むシステム構成図である。
【図２】実施例１に於ける印刷データ分割方法の説明図である。
【図３】実施例１に於ける印刷データ復元方法の説明図である。
【図４】実施例１の印刷設定画面の一例である。
【図５】実施例１の分割データ保存先設定のフローチャートである。
【図６】実施例１の再印刷動作のフローチャート（その１）である。
【図７】実施例２の再印刷動作のフローチャート（その２）である。
【図８】実施例２の画像形成装置を含むシステム構成図である。
【図９】実施例２の印刷設定画面の一例である。
【図１０】実施例２の分割データ保存先設定のフローチャートである。
【図１１】実施例２の再印刷動作のフローチャート（その１）である。
【図１２】実施例２の再印刷動作のフローチャート（その２）である。
【図１３】実施例３の画像形成装置を含むシステム構成図である。
【図１４】実施例４の印刷設定画面の一例である。
【図１５】実施例３の分割データ保存先設定のフローチャートである。
【図１６】実施例３の再印刷動作のフローチャート（その１）である。
【図１７】実施例３の再印刷動作のフローチャート（その２）である。
【符号の説明】
【００８７】
１１    通信部
１２    分割部
１３    不揮発性記憶部
１４    復元部
１５    揮発性記憶部
１６    入出力部
１７    照合部
１８    印刷部
３１    印刷設定部
３２    印刷要求部
３３    通信部
５１    通信部
５２    不揮発性記憶部
５３    照合部
１００    画像形成装置
２００    外部記憶装置
３００    情報処理装置
【図１】
2006187918.tif 000003
【図２】
2006187918.tif 000004
【図３】
2006187918.tif 000005
【図４】
2006187918.tif 000006
【図５】
2006187918.tif 000007
【図６】
2006187918.tif 000008
【図７】
2006187918.tif 000009
【図８】
2006187918.tif 000010
【図９】
2006187918.tif 000011
【図１０】
2006187918.tif 000012
【図１１】
2006187918.tif 000013
【図１２】
2006187918.tif 000014
【図１３】
2006187918.tif 000015
【図１４】
2006187918.tif 000016
【図１５】
2006187918.tif 000017
【図１６】
2006187918.tif 000018
【図１７】
2006187918.tif 000019